(57)【要約】【課題】蓋体のキャップ本体に対する閉塞力を強めても、蓋体を開くのに要する力が高くなるのを抑制する。【解決手段】内容物が収容される容器本体５０の口部５１に装着されるとともに、天壁部５に内容物の取り出し孔９が形成された有頂筒状のキャップ本体２と、キャップ本体２に開閉ヒンジ部４を介して連結され取り出し孔９を開閉する蓋体３と、を備えるヒンジキャップ１であって、キャップ本体２及び蓋体３のうちのいずれか一方には、他方をキャップ軸Ｏ方向に押して開閉ヒンジ部４回りに回動させ取り出し孔９を開放させる梃子部材４０が、梃子ヒンジ４１を介して連結されている。【選択図】図１
2015003736.tif 000002
【特許請求の範囲】
【請求項１】
内容物が収容される容器本体の口部に装着されるとともに、天壁部に内容物の取り出し孔が形成された有頂筒状のキャップ本体と、
キャップ本体に開閉ヒンジ部を介して連結され取り出し孔を開閉する蓋体と、
を備えるヒンジキャップであって、
前記キャップ本体及び前記蓋体のうちのいずれか一方には、他方をキャップ軸方向に押して前記開閉ヒンジ部回りに回動させ前記取り出し孔を開放させる梃子部材が、梃子ヒンジを介して連結されていることを特徴とするヒンジキャップ。
【請求項２】
請求項１に記載のヒンジキャップであって、
前記梃子部材における前記梃子ヒンジ側の基端部が、キャップ軸方向に沿う前記キャップ本体と前記蓋体との間に配置され、
前記梃子部材における前記基端部と反対側の先端部が、このヒンジキャップの外部に露呈していることを特徴とするヒンジキャップ。
【請求項３】
請求項１または２に記載のヒンジキャップであって、
前記梃子部材は、キャップ軸を径方向に挟む前記開閉ヒンジ部の反対側に配設されていることを特徴とするヒンジキャップ。
【請求項４】
請求項１から３のいずれか１項に記載のヒンジキャップであって、
キャップ軸方向から見た平面視において、
前記梃子部材は周方向に沿って延在するとともに、前記梃子ヒンジは、前記梃子部材が延在する方向に直交する方向に延在していることを特徴とするヒンジキャップ。
【請求項５】
請求項１から４のいずれか１項に記載のヒンジキャップであって、
前記キャップ本体及び前記蓋体のうちの前記一方には、前記梃子部材が前記梃子ヒンジ回りに回動するときに摺接してキャップ軸方向に乗り越える摺接突部が配設されていることを特徴とするヒンジキャップ。
【発明の詳細な説明】
【技術分野】
【０００１】
本発明は、ヒンジキャップに関するものである。
【背景技術】
【０００２】
従来から、内容物が収容される容器本体の口部に装着されるとともに、天壁部に内容物の取り出し孔が形成された有頂筒状のキャップ本体と、キャップ本体に開閉ヒンジ部を介して連結され取り出し孔を開閉する蓋体と、を備えるヒンジキャップが知られている。
また、例えば下記特許文献１に示されるような、操作片の水平回動操作で蓋体を容易に開くようにしたヒンジキャップも知られている。
【先行技術文献】
【特許文献】
【０００３】
【特許文献１】実公平６−２１８８９号公報
【発明の概要】
【発明が解決しようとする課題】
【０００４】
しかしながら、前記従来のヒンジキャップでは、例えば鞄の中に入れて持ち運んでいるときなどに、予期せず蓋体が開いてしまうおそれがある。
これに対し、蓋体のキャップ本体に対する閉塞力を強めると、蓋体を開こうとしたときに蓋体が開きにくくなるという問題を生ずる。
さらに、前記従来のヒンジキャップでは、その構造が複雑であることなどについて改善の余地があった。
【０００５】
本発明は、このような事情を考慮してなされたもので、蓋体のキャップ本体に対する閉塞力を強めても、蓋体を開くのに要する力が高くなるのを抑制することができるヒンジキャップを提供することを目的とする。
【課題を解決するための手段】
【０００６】
上記課題を解決して、このような目的を達成するために、本発明のヒンジキャップは、内容物が収容される容器本体の口部に装着されるとともに、天壁部に内容物の取り出し孔が形成された有頂筒状のキャップ本体と、キャップ本体に開閉ヒンジ部を介して連結され取り出し孔を開閉する蓋体と、を備えるヒンジキャップであって、前記キャップ本体及び前記蓋体のうちのいずれか一方には、他方をキャップ軸方向に押して前記開閉ヒンジ部回りに回動させ前記取り出し孔を開放させる梃子部材が、梃子ヒンジを介して連結されていることを特徴とする。
【０００７】
この発明によれば、キャップ本体及び蓋体のうちのいずれか一方に、梃子ヒンジを介して梃子部材が連結されているので、梃子部材を、キャップ本体及び蓋体のうちのいずれか他方に向けて、梃子ヒンジ回りに回動させたときに、梃子部材に加えた力を、梃子の原理により、キャップ本体及び蓋体のうちのいずれか他方に増幅させて伝達することが可能になる。したがって、仮に、キャップ本体が蓋体によって強く閉塞されていても、蓋体を開くのに要する力が高くなるのを抑制することができる。
また、前記一方に梃子ヒンジを介して梃子部材が連結されていることから、構造や操作の複雑化や部品点数の増大を抑えることができる。
【０００８】
ここで、前記梃子部材における前記梃子ヒンジ側の基端部が、キャップ軸方向に沿う前記キャップ本体と前記蓋体との間に配置され、前記梃子部材における前記基端部と反対側の先端部が、このヒンジキャップの外部に露呈してもよい。
【０００９】
この場合、梃子部材の基端部が、キャップ軸方向に沿うキャップ本体と蓋体との間に配置され、梃子部材の先端部が外部に露呈しているので、梃子部材を前記他方に向けて回動させ蓋体を開く際に、梃子部材の先端部に加える力を、梃子部材の基端部を介して前記他方に大きく増幅させて伝達することができる。また、梃子部材の先端部が、ヒンジキャップの外部に露呈しているので、蓋体を開く際に、梃子部材の先端部を容易に操作することができる。
【００１０】
また、前記梃子部材は、キャップ軸を径方向に挟む前記開閉ヒンジ部の反対側に配設されてもよい。
【００１１】
この場合、梃子部材が、キャップ軸を径方向に挟む開閉ヒンジ部の反対側に配設されているので、梃子部材により前述のように前記他方を押したときに、開閉ヒンジ部を、例えば捩じったりすることなく円滑に変形させることが可能になり、蓋体を開く際の操作性を確実に向上させることができる。
【００１２】
また、キャップ軸方向から見た平面視において、前記梃子部材は周方向に沿って延在するとともに、前記梃子ヒンジは、前記梃子部材が延在する方向に直交する方向に延在してもよい。
【００１３】
この場合、前記平面視において、梃子部材が周方向に沿って延在するとともに、梃子ヒンジが、梃子部材が延在する方向に直交する方向に延在しているので、梃子部材の、梃子ヒンジからの突出長さを、ヒンジキャップからの突出量を抑えつつ、容易に確保することが可能になる。したがって、見映えの悪化や、梃子部材に不意に外力が加えられやすくなることなどを防ぎながら、梃子部材に加えた力を前記他方に確実に増幅させて伝達することができる。
【００１４】
また、前記キャップ本体及び前記蓋体のうちの前記一方には、前記梃子部材が前記梃子ヒンジ回りに回動するときに摺接してキャップ軸方向に乗り越える摺接突部が配設されてもよい。
【００１５】
この場合、前記一方に摺接突部が配設されているので、梃子部材の前記一方に対する位置を安定させることができ、また、梃子部材に加えられた不意の外力によって、梃子部材が前記他方をキャップ軸方向に押し、蓋体が意図せず開いてしまうのを抑制することができる。
【発明の効果】
【００１６】
本発明によれば、蓋体のキャップ本体に対する閉塞力を強めても、蓋体を開くのに要する力が高くなるのを抑制することができる。
【図面の簡単な説明】
【００１７】
【図１】本発明に係る一実施形態として示したヒンジキャップの縦断面図である。
【図２】図１に示すヒンジキャップを開いた状態を示す平面図である。
【図３】図１に示すヒンジキャップを開いた状態を示す斜視図である。
【図４】図１に示すヒンジキャップを前方から見た側面図である。
【発明を実施するための形態】
【００１８】
以下、図面を参照し、本発明の一実施形態に係るヒンジキャップ１について説明する。
本実施形態のヒンジキャップ１は、図１に示されるように、内容物が収容される容器本体５０の口部５１に装着されるとともに、天壁部５に内容物の取り出し孔９が形成された有頂筒状のキャップ本体２と、キャップ本体２に開閉ヒンジ部４を介して連結され取り出し孔９を開閉する蓋体３と、を備えている。
図示の例では、蓋体３は有頂筒状に形成されており、キャップ本体２及び蓋体３は、それぞれの中心軸線が共通軸上に配置されている。以下、この共通軸をキャップ軸Ｏといい、キャップ軸Ｏ方向に沿う蓋体３側を上側、キャップ本体２側を下側という。また、キャップ軸Ｏに直交する方向を径方向といい、キャップ軸Ｏ回りに周回する方向を周方向という。
なお、図１は、図２に示すヒンジキャップを閉じた状態におけるＡ−Ａ線矢視断面図を示している。
【００１９】
容器本体５０は、小径の口部５１と、口部５１の下端部から下方に向かうに従い漸次拡径された肩部５２と、肩部５２の下端部から下方に向けて延びる大径の胴部５３と、胴部５３の下端開口部を閉塞する図示されない底部と、を備えている。口部５１の外周面には雄ねじ部が形成されている。
【００２０】
キャップ本体２は、天壁部５と、天壁部５の外周縁から下方に向けて延設された外筒部６と、外筒部６の径方向内側に位置して天壁部５から下方に向けて延設された内筒部７と、内筒部７の径方向内側に位置して天壁部５から下方に向けて延設されたシール筒部８と、を備えている。
【００２１】
外筒部６の外径は、容器本体５０の胴部５３の外径と同等となっている。外筒部６の上端部のうち、周方向に沿う開閉ヒンジ部４の後述する中央連結片２６に対応する部分は、その外周面が他の部分よりも径方向内側に一段窪まされた段差部１４とされており、該段差部１４に、中央連結片２６の下側部分が収容される。
【００２２】
内筒部７の内周面には、口部５１の雄ねじ部に螺着する雌ねじ部が形成されている。シール筒部８は口部５１内に嵌合している。また図示の例では、天壁部５の下面における内筒部７とシール筒部８との間に位置する部分に環状突起が形成されており、該環状突起は、口部５１の上端開口縁に上側から当接している。
キャップ本体２における外筒部６、内筒部７及びシール筒部８のキャップ軸Ｏ方向に沿う長さ（つまり天壁部５から下側へ延設される長さ）は、外筒部６、内筒部７、シール筒部８の順に小さくなっている。
【００２３】
天壁部５は円板状をなしており、該天壁部５には、上側に向けて突設されその内部が内容物を注出する取り出し孔９とされた取り出し筒１０が形成されている。
図示の例では、天壁部５の上面のうち、外周縁部３５より径方向の内側に位置する部分に、上方に向けて膨出する台状の隆起部３４が形成されている。取り出し筒１０は、隆起部３４の上面に形成されている。隆起部３４の外周面には、図２及び図３に示されるように、第１係止突部３４ａが周方向に間隔をあけて複数形成されている。
天壁部５の外周縁部３５のうち、キャップ軸Ｏを径方向に挟む開閉ヒンジ部４の反対側に位置する部分（以下、前部分という）３５ａは、他の部分よりも径方向の内側に張り出していて、径方向の大きさが大きくなっている。これに対応して、天壁部５の隆起部３４のうち、キャップ軸Ｏを径方向に挟む開閉ヒンジ部４の反対側に位置する部分は、径方向の内側に向けて窪んでいる。
取り出し筒１０は、天壁部５の隆起部３４において、キャップ軸Ｏから開閉ヒンジ部４の反対側にずれた位置に配置されている。取り出し筒１０の内周面は、図１に示されるように、その下端部が最も小径とされており、該下端部以外の部分はこの下端部から上側に向かうに従い漸次拡径している。これにより、取り出し筒１０内に形成される取り出し孔９は、逆円錐形状をなしている。また、取り出し孔９の下端部は、口部５１内に開口している。
【００２４】
蓋体３は有頂筒状をなしており、頂壁部１６と、頂壁部１６の外周縁部から下方に向けて延設された周壁部１７と、を有している。
【００２５】
周壁部１７は、キャップ本体２における天壁部５の隆起部３４に着脱自在に外嵌されている。周壁部１７の内周面には、図２及び図３に示されるように、隆起部３４の第１係止突部３４ａにアンダーカット嵌合する第２係合突部１７ａが周方向に間隔をあけて複数形成されている。周壁部１７の下端開口縁は、天壁部５の外周縁部３５上に配置される。
頂壁部１６は、上側へ向けて凸となる曲面状に形成されている。頂壁部１６には、下側に向けて突設されるとともに取り出し筒１０内に嵌合して取り出し孔９を閉塞するシール突起１９と、下側に向けて突設され、シール突起１９及び取り出し筒１０よりも大径とされてこれらシール突起１９及び取り出し筒１０を径方向外側から覆うカバー筒２０と、が形成されている。
【００２６】
頂壁部１６及び周壁部１７において、周方向に沿う中央連結片２６と対応する部分には、中央連結片２６の上側部分を収容する切欠き部２１が、これら頂壁部１６及び周壁部１７を一体に貫いている。
シール突起１９は筒状をなしている。
カバー筒２０の下端開口縁は、図１に示されるように、天壁部５の上面に対して若干の隙間をあけて接近配置されている。カバー筒２０とシール突起１９との間に、取り出し筒１０が収容されている。
【００２７】
開閉ヒンジ部４は、中央連結片２６と、中央連結片２６を周方向から挟む一対の側方連結片２７と、を備える、いわゆる三点ヒンジである。
中央連結片２６は、弾性変形可能な板体とされ、側面視で上下が反転した逆Ｌ字状を呈している。中央連結片２６の径方向内側の端部には第１ヒンジ２８が設けられており、該中央連結片２６は第１ヒンジ２８を介して蓋体３の頂壁部１６に連結されている。また、中央連結片２６の下端部には第２ヒンジ２９が設けられており、該中央連結片２６は第２ヒンジ２９を介してキャップ本体２の外筒部６に連結されている。
【００２８】
図１に示される蓋体３が閉位置とされた状態で、中央連結片２６における上側部分は、蓋体３の切欠き部２１内に収容され、下側部分はキャップ本体２の段差部１４内に収容されていて、該中央連結片２６の外周面は、蓋体３の外周面及びキャップ本体２の外周面と略面一となっている。
側方連結片２７は、蓋体３の周壁部１７から径方向外側へ向けて突設された第１突起３０と、キャップ本体２の外筒部６から径方向外側へ向けて突設された第２突起３１と、これらの第１突起３０と第２突起３１とを連結する第３ヒンジ３２と、を備えている。
そして、蓋体３は、キャップ本体２に対して開閉ヒンジ部４の第３ヒンジ３２を回動中心として回動するようになっており、図示の例では、蓋体３が全開位置とされた状態における開き角度が略１８０°とされている。
【００２９】
そして、本実施形態では、キャップ本体２に、蓋体３を上方に押し上げて開閉ヒンジ部４回りに回動させてキャップ本体２から離間させ取り出し孔９を開放させる梃子部材４０が、梃子ヒンジ４１を介して連結されている。
梃子部材４０は、図２及び図３に示されるように、天壁部５の上面における外周縁部３５のうち、キャップ軸Ｏを径方向に挟む開閉ヒンジ部４の反対側に位置する前部分３５ａに梃子ヒンジ４１を介して連結されている。
【００３０】
図示の例では、前部分３５ａに、収納凹部３６が形成されており、収納凹部３６内に梃子部材４０がキャップ軸Ｏ方向に出没自在に配置されている。また、図３及び図４に示されるように、収納凹部３６のキャップ軸Ｏ方向の大きさは、梃子部材４０のキャップ軸Ｏ方向の大きさより大きくなっている。梃子部材４０の上面は、図１及び図４に示されるように天壁部５の外周縁部３５の上面と面一となっていて、梃子部材４０の下面は、収納凹部３６の下面より上方に位置している。
収納凹部３６は、周方向に沿って延在し、周方向の両端部のうち、一方側の端部が周方向の外側に向けて開口し、かつ他方側の端部が周方向に閉じられた第１凹部３８と、第１凹部３８の他方側の端部から径方向の内側に向けて延びる第２凹部３９と、を備えている。第１凹部３８は、全周にわたって径方向の外側に向けて開口している。
【００３１】
梃子部材４０は、周方向に沿って延在し、周方向の両端部のうち、一方側の先端部４０ｄがキャップ本体２より径方向の外側に突出し、他方側（梃子ヒンジ４１側）の基端部４０ｅが梃子ヒンジ４１を介して前部分３５ａに連結されている。梃子部材４０の基端部４０ｅには、径方向の内側に向けて突出して、蓋体３の下端開口縁を上方に押し上げる押し上げ部４０ａが形成されている。押し上げ部４０ａは、第２凹部３９内に配置される。
梃子ヒンジ４１は、収納凹部３６を画成する壁面のうち、周方向の一方側を向く他方側の端面３６ａに連結されている。図示の例では、梃子ヒンジ４１は、収納凹部３６の他方側の端面３６ａの上端部に連結されている。キャップ軸Ｏ方向から見た平面視において、梃子ヒンジ４１は、梃子部材４０が延在する方向に直交する方向に延在している。
【００３２】
蓋体３のうち、キャップ軸Ｏを径方向に挟む開閉ヒンジ部４の反対側に位置する部分には、周方向に沿って延在し、周方向の両端部のうち、一方側の端部が周方向の外側に向けて開口し、かつ他方側の端部が周方向に閉じられた凹欠き部３７が形成されている。
凹欠き部３７は、キャップ軸Ｏ方向及び径方向外方の双方向に一体に開口している。また、凹欠き部３７は、周方向に沿って延在し、かつ径方向の外側を向く内壁面３７ａと、内壁面３７ａにおける周方向の他方側の端部から径方向の外側に向けて延在し、周方向の一方側を向く周端面３７ｂと、により画成されている。
【００３３】
そして、蓋体３の周壁部１７の下端開口縁のうち、凹欠き部３７の内壁面３７ａが位置する部分における周方向の他方側の端部が、梃子部材４０の押し上げ部４０ａ上に配置されている。
これにより、梃子部材４０のうち、梃子ヒンジ４１側の基端部４０ｅに位置する押し上げ部４０ａが、キャップ軸Ｏ方向に沿うキャップ本体２と蓋体３との間に配置されている。
また、梃子部材４０のうち、押し上げ部４０ａ以外の部分は、周方向の一方側の先端部４０ｄを含む全体が、蓋体３で覆われておらず、凹欠き部３７を通して外部から視認可能とされていて、このヒンジキャップ１の外部に露呈している。
なお、キャップ本体２の隆起部３４の、上面視における外周面形状と、蓋体３の周壁部１７の、下面視における内周面形状と、は互いに同等の形状で同等の大きさとなっている。
【００３４】
さらに本実施形態では、キャップ本体２に、梃子部材４０が梃子ヒンジ４１回りに回動するときに摺接してキャップ軸Ｏ方向に乗り越える摺接突部４２が配設されている。
図示の例では、摺接突部４２は、キャップ本体２の天壁部５の第１凹部３８を画成する壁面のうち、周方向に延在して径方向の外側を向く内壁面３８ａに突設されている。摺接突部４２は、第１凹部３８の内壁面３８ａにおいて、周方向の一方側の端部における上端部に配設されている。
本実施形態では、梃子部材４０にも、摺接突部４２に摺接しつつこの摺接突部４２をキャップ軸Ｏ方向に乗り越える乗り越え突部４０ｂが形成されている。乗り越え突部４０ｂは、梃子部材４０の外表面のうち、周方向に延在して径方向の内側を向く内端面４０ｃに形成され、径方向の内側に向けて突出している。
なお、このヒンジキャップ１は、図２及び図３に示されるような、蓋体３がキャップ本体２に対して全開位置に位置し、かつ梃子部材４０が梃子ヒンジ４１からキャップ軸Ｏ方向に沿って直立する姿勢とされて成形される。
【００３５】
以上説明したように、本実施形態によるヒンジキャップ１によれば、キャップ本体２に、梃子ヒンジ４１を介して梃子部材４０が連結されているので、梃子部材４０を、蓋体３に向けて、梃子ヒンジ４１回りに回動させたときに、梃子部材４０に加えた力を、梃子の原理により、蓋体３に増幅させて伝達することが可能になる。したがって、仮に、キャップ本体２が蓋体３によって強く閉塞されていても、蓋体３を開くのに要する力が高くなるのを抑制することができる。
また、キャップ本体２に梃子ヒンジ４１を介して梃子部材４０が連結されていることから、構造や操作の複雑化や部品点数の増大を抑えることができる。
【００３６】
また、梃子部材４０の基端部４０ｅが、キャップ軸Ｏ方向に沿うキャップ本体２と蓋体３との間に配置され、梃子部材４０の先端部４０ｄが外部に露呈しているので、梃子部材４０を蓋体３に向けて回動させ蓋体３を開く際に、梃子部材４０の先端部４０ｄに加える力を、梃子部材４０の基端部４０ｅを介して蓋体３に大きく増幅させて伝達することができる。また、梃子部材４０の先端部４０ｄが、ヒンジキャップ１の外部に露呈しているので、蓋体３を開く際に、梃子部材４０の先端部４０ｄを容易に操作することができる。
【００３７】
また、梃子部材４０が、キャップ軸Ｏを径方向に挟む開閉ヒンジ部４の反対側に配設されているので、梃子部材４０により前述のように蓋体３を押したときに、開閉ヒンジ部４を、例えば捩じったりすることなく円滑に変形させることが可能になり、蓋体３を開く際の操作性を確実に向上させることができる。
【００３８】
また、キャップ軸Ｏ方向から見た平面視において、梃子部材４０が周方向に沿って延在するとともに、梃子ヒンジ４１が、梃子部材４０が延在する方向に直交する方向に延在しているので、梃子部材４０の、梃子ヒンジ４１からの突出長さを、ヒンジキャップ１からの突出量を抑えつつ、容易に確保することが可能になる。したがって、見映えの悪化や、梃子部材４０に不意に外力が加えられやすくなることなどを防ぎながら、梃子部材４０に加えた力を蓋体３に確実に増幅させて伝達することができる。
【００３９】
また、キャップ本体２に摺接突部４２が配設されているので、梃子部材４０のキャップ本体２に対する位置を安定させることができ、また、梃子部材４０に加えられた不意の外力によって、梃子部材４０が蓋体３をキャップ軸Ｏ方向に押し、蓋体３が意図せず開いてしまうのを抑制することができる。
【００４０】
本発明は上記した実施の形態に限定されるものではなく、その趣旨を逸脱しない範囲で適宜変更可能である。
【００４１】
例えば前記実施形態では、梃子部材４０が梃子ヒンジ４１を介してキャップ本体２に連結された構成を示したが、蓋体３に連結されてもよい。
また、前記実施形態では、梃子部材４０に乗り越え突部４０ｂを形成したが、乗り越え突部４０ｂを形成せず、梃子部材４０の前記内端面４０ｃを摺接突部４２に摺接させてもよい。
また、摺接突部４２や乗り越え突部４０ｂは配設しなくてもよい。
【００４２】
また、前記実施形態では、梃子部材４０のうち、梃子ヒンジ４１側の基端部４０ｅに位置する押し上げ部４０ａを、キャップ軸Ｏ方向に沿うキャップ本体２と蓋体３との間に配置したが、梃子部材４０のうち、押し上げ部４０ａ以外の他の部分を、キャップ軸Ｏ方向に沿うキャップ本体２と蓋体３との間に配置してもよい。
また、前記実施形態では、梃子部材４０のうち、押し上げ部４０ａを除く全体が、蓋体３で覆われておらず、凹欠き部３７を通して外部から視認可能とされていて、このヒンジキャップ１の外部に露呈している構成を示したが、例えば、梃子部材４０のうち、周方向の一方側の先端部４０ｄだけをヒンジキャップ１の外部に露呈させるなど適宜変更してもよい。
また、前記実施形態では、梃子部材４０の先端部４０ｄをキャップ本体２より径方向の外側に突出させたが、これに代えて例えば、梃子部材４０の先端部４０ｄを、キャップ本体２より径方向の内側に位置させたり、キャップ本体２の外周面と面一に位置させたりして、径方向の外側に突出させなくてもよい。
この場合、梃子部材４０の先端部４０ｄが、キャップ本体２から径方向の外側に突出していないので、梃子部材４０に不意の外力が加えられることで蓋体３が意図せず開いてしまうのを抑制することができる。
この構成において、蓋体３に、梃子部材４０の先端部４０ｄを操作可能に外部に露呈させる凹欠き部を形成してもよい。
【００４３】
また、前記実施形態では、梃子部材４０を、キャップ軸Ｏを径方向に挟む開閉ヒンジ部４の反対側に配設したが、梃子部材４０を配設する位置は適宜変更してもよい。
また、前記実施形態では、梃子部材４０が周方向に延在する構成を示したが、これに限らず、例えば径方向に延在させるなど適宜変更してもよい。
また、前記実施形態では、梃子部材４０の基端部４０ｅに押し上げ部４０ａを形成したが、押し上げ部４０ａを形成せず、梃子部材４０の径方向の大きさを周方向の全長にわたって同等にし、この梃子部材４０の基端部４０ｅを、キャップ軸Ｏ方向に沿うキャップ本体２と蓋体３との間に配置してもよい。
また、前記実施形態では、開閉ヒンジ部４として、いわゆる三点ヒンジを示したが、これに限らず適宜変更してもよい。
また、隆起部３４や収納凹部３６は設けなくてもよい。
【００４４】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４５】
１  ヒンジキャップ
２  キャップ本体
３  蓋体
４  開閉ヒンジ部
５  天壁部
９  取り出し孔
４０  梃子部材
４０ｄ  先端部
４０ｅ  基端部
４１  梃子ヒンジ
４２  摺接突部
５０  容器本体
５１  口部
Ｏ  キャップ軸
【図１】
2015003736.tif 000003
【図２】
2015003736.tif 000004
【図３】
2015003736.tif 000005
【図４】
2015003736.tif 000006